(57)【要約】【課題】連結ブロックによる框材の連結強度を向上させた樹脂サッシを提供する。【解決手段】上下框２０、２１及び左右の縦框２２、２３は長手方向に沿って中空部２４を有し、少なくとも縦框には中空部の内周面に沿って金属製の補強材２５が設けられ、上框２０と縦框２２、２３を連結する上連結ブロック３０は、上框と縦框とのコーナー部に配置される基部３１と、上框の中空部に嵌入される上框連結部３２と、基部から突出し縦框の中空部に嵌入される縦框連結部３３とを有し、縦框連結部は基部側の根元部３３ａと、根元部より先端側の先端部３３ｂとからなり、根元部３３ａは縦框の端部と補強材の端部との間の領域において縦框の中空部の内周面に嵌入自在な形状に形成され、先端部３３ｂは補強材が配置された領域において補強材の内周面に嵌入自在な形状に形成されてなる。【選択図】図５
2009228350.tif 000002
【特許請求の範囲】
【請求項１】
建物開口部に設けられる枠体内に障子を納めてなり、該障子は樹脂材からなる上下框及び左右の縦框を方形状に框組みしてなる框体内にパネル体を固定してなる樹脂サッシにおいて、
前記上下框及び左右の縦框は断面中空状に形成されて長手方向に沿って中空部を有し、少なくとも前記縦框には中空部の内周面に沿う形状に形成された金属製の補強材が設けられ、該補強材は端部が前記縦框の端部よりも長手方向内側に配置され、
前記上框は両端部に取付けられる上連結ブロックにより前記左右の縦框と連結され、前記下框は両端部に設けられる下連結ブロックにより前記左右の縦框と連結され、
前記上連結ブロックは、前記上框と縦框とのコーナー部に配置される基部と、前記上框の中空部に嵌入される上框連結部と、前記基部から突出し前記縦框の中空部に嵌入される縦框連結部とを有し、該縦框連結部は前記基部側の根元部と、該根元部より先端側の先端部とからなり、前記根元部は前記縦框の端部と前記補強材の端部との間の領域において前記縦框の中空部の内周面に嵌入自在な形状に形成され、前記先端部は前記補強材が配置された領域において前記補強材の内周面に嵌入自在な形状に形成されてなることを特徴とする樹脂サッシ。
【請求項２】
前記縦框の室内面には断面略方形状の引手部材が長手方向に沿って設けられ、該引手部材は室外側面が前記縦框の室内面に当接し、前記引手部材の室外側面と前記縦框の室内面及び前記縦框の中空部に設けられる前記補強材とを共締め固定してなることを特徴とする請求項１記載の樹脂サッシ。
【請求項３】
前記補強材は前記中空部の内周面のうち３面と当接する断面略コ字状に形成され、前記縦框連結部の先端部は前記補強材の内周面を構成する３面と当接することを特徴とする請求項１または２記載の樹脂サッシ。
【発明の詳細な説明】
【技術分野】
【０００１】
本発明は、建物開口部に設けられる枠体内に樹脂材からなる框体を有した障子を納めてなる樹脂サッシに関し、特に框体を構成する上下框と左右の縦框とを連結ブロックにより連結してなる樹脂サッシに関する。
【背景技術】
【０００２】
従来、建物開口部に設けられるサッシにおいて、障子を構成する框体を樹脂材によって形成した樹脂サッシが知られている。樹脂サッシは、意匠性及び断熱性に優れている一方、金属材を用いたサッシに比べて強度が低い。このため、框体を構成する各框材の、特に縦框には金属材からなる補強材が設けられる。各框材は断面中空状に形成されており、補強材は框材の中空部内周面に沿うような形状に形成されて、框材内に挿入される。
【０００３】
また、框体は上下框と左右の縦框とが連結ブロックにより連結され框組みされる。連結ブロックは、上框と縦框とを連結する上連結ブロックと、下框と縦框とを連結する下連結ブロックとからなり、いずれも框材の連結部分におけるコーナー部に配置される基部と、連結する両框材の中空内部に嵌入自在な連結部とを有している。この連結部が框材の中空部に嵌入されることで、両框材が連結される。このような樹脂サッシとしては、例えば特許文献１に挙げるようなものがある。
【特許文献１】特開平２００７−２２４５６４号公報
【発明の開示】
【発明が解決しようとする課題】
【０００４】
樹脂サッシにおいては、障子を構成する各框材の連結強度を充分に確保することが必要となる。このため、連結ブロックと框材の連結強度が充分に大きいことが必要とされるが、上連結ブロックと下連結ブロックでは、形状が異なることにより強度に違いがあった。
【０００５】
下連結ブロックは、下端部が枠体の下枠上面に形成されるレールを跨ぐように凹状に形成されており、上連結ブロックも、上端部が枠体の上枠下面に形成される案内レールを跨ぐように凹状に形成されている。ここで、障子を慳貪式に枠体に納めるため、上連結ブロックの凹状部分は下連結ブロックの凹状部分よりも深くなるように形成されている。すなわち、上連結ブロックは縦框から上下方向により大きく突出することとなる。このため、力が加わった場合に、上連結ブロックの方が縦框に対し左右に振れる可能性が高く、より高い連結強度が求められていた。
【０００６】
本発明は、上記課題を解決すべくなされたものであり、連結ブロックによる框材の連結強度を向上させた樹脂サッシを提供することを目的とする。
【課題を解決するための手段】
【０００７】
上記課題を解決するため、本発明に係る樹脂サッシは、建物開口部に設けられる枠体内に障子を納めてなり、該障子は樹脂材からなる上下框及び左右の縦框を方形状に框組みしてなる框体内にパネル体を固定してなる樹脂サッシにおいて、
前記上下框及び左右の縦框は断面中空状に形成されて長手方向に沿って中空部を有し、少なくとも前記縦框には中空部の内周面に沿う形状に形成された金属製の補強材が設けられ、該補強材は端部が前記縦框の端部よりも長手方向内側に配置され、
前記上框は両端部に取付けられる上連結ブロックにより前記左右の縦框と連結され、前記下框は両端部に設けられる下連結ブロックにより前記左右の縦框と連結され、
前記上連結ブロックは、前記上框と縦框とのコーナー部に配置される基部と、前記上框の中空部に嵌入される上框連結部と、前記基部から突出し前記縦框の中空部に嵌入される縦框連結部とを有し、該縦框連結部は前記基部側の根元部と、該根元部より先端側の先端部とからなり、前記根元部は前記縦框の端部と前記補強材の端部との間の領域において前記縦框の中空部の内周面に嵌入自在な形状に形成され、前記先端部は前記補強材が配置された領域において前記補強材の内周面に嵌入自在な形状に形成されてなることを特徴として構成されている。
【０００８】
また、本発明に係る樹脂サッシは、前記縦框の室内面には断面略方形状の引手部材が長手方向に沿って設けられ、該引手部材は室外側面が前記縦框の室内面に当接し、前記引手部材の室外側面と前記縦框の室内面及び前記縦框の中空部に設けられる前記補強材とを共締め固定してなることを特徴として構成されている。
【０００９】
さらに、本発明に係る樹脂サッシは、前記補強材は前記中空部の内周面のうち３面と当接する断面略コ字状に形成され、前記縦框連結部の先端部は前記補強材の内周面を構成する３面と当接することを特徴として構成されている。
【発明の効果】
【００１０】
本発明に係る樹脂サッシによれば、上框と縦框を連結する上連結ブロックは、コーナー部に配置される基部と、上框の中空部に嵌入される上框連結部と、基部から突出し縦框の中空部に嵌入される縦框連結部とを有し、縦框連結部は基部側の根元部と、根元部より先端側の先端部とからなり、根元部は縦框の端部と補強材の端部との間の領域において縦框の中空部の内周面に嵌入自在な形状に形成され、先端部は補強材が配置された領域において補強材の内周面に嵌入自在な形状に形成されてなることにより、上連結ブロックが縦框及び補強材に対して二重に嵌合しているので、上連結ブロックと縦框との連結強度を大きくし、框体の強度を大きくすることができる。
【００１１】
また、本発明に係る樹脂サッシによれば、縦框の室内面には断面略方形状の引手部材が長手方向に沿って設けられ、引手部材は室外側面が縦框の室内面に当接し、引手部材の室外側面と縦框の室内面及び縦框の中空部に設けられる補強材とを共締め固定してなることにより、引手部材と召合せ框とが強固に一体化されるので、框体の強度を向上させることができる。
【００１２】
さらに、本発明に係る樹脂サッシによれば、補強材は中空部の内周面のうち３面と当接する断面略コ字状に形成され、縦框連結部の先端部は補強材の内周面を構成する３面と当接することにより、縦框連結部の先端部が補強材に対して強固に嵌入されるので、上連結ブロックと縦框との連結強度をより大きくすることができる。
【発明を実施するための最良の形態】
【００１３】
本発明の実施形態について、図面に沿って詳細に説明する。図１は本実施形態における樹脂サッシを有したサッシ全体の縦断面図、図２はサッシ全体の横断面図である。サッシ全体の構成は、建物開口部に外窓５０を取付け、その室内側に樹脂サッシである内窓１を設けて二重構造としてなるものである。
【００１４】
外窓５０は、方形状に枠組みされた外側枠体５１内に、外側内障子５２と外側外障子５３を引き違い状に納めてなるものであり、一般的なサッシの構成と同様のものである。外窓５０の室内側には上辺及び縦辺に額縁材５が、下辺には床材６がそれぞれ設けられており、額縁材５の室内側端部付近に樹脂サッシである内窓１が取付けられる。
【００１５】
内窓１は、額縁材５及び床材６に取付けた枠体２内に内障子３と外障子４を引き違い状に納めてなるものである。枠体２は、いずれも樹脂材からなる上枠１０と下枠１１及び左右の縦枠１２、１２を方形状に枠組みして構成される。
【００１６】
内障子３及び外障子４は、いずれも樹脂材からなる上框２０と下框２１、縦框である枠側縦框２２及び召合せ框２３を方形状に框組みしてなる框体７にガラス体８を納めて構成され、枠体２内において長手方向に走行自在となるように納められる。縦框は、枠側に配置される枠側縦框２２と、召合せ側に配置される召合せ框２３とが、内障子３及び外障子４にそれぞれ配置される。内障子３の召合せ框２３の室内面には、断面略方形状の引手部材２６が設けられており、引手部材２６に手を掛けて内障子３を容易に開閉させることができるようにしている。引手部材２６は金属材で形成されており、室内側にはカバー部材２６ａが設けられて引手部材２６の室内露出面を覆っている。
【００１７】
框体７を構成する各框材は、それぞれ中空部２４を有する断面中空状に形成されている。枠側縦框２２と召合せ框２３の中空部２４には、その内周面に沿う形状を有した補強材２５が設けられている。補強材２５は、金属材によって形成されており、枠側縦框２２または召合せ框２３の室内側内周面に当接する室内面２５ａと、枠側縦框２２または召合せ框２３の室外側内周面に当接する室外面２５ｂとを有している。このように金属材からなる補強材２５が縦框内に設けられることで、樹脂材からなる框体７の強度を大きくしている。
【００１８】
枠体２を構成する上枠１０には、下面に内案内レール１０ａと外案内レール１０ｂが突出状に形成され、それぞれ内障子３及び外障子４の各上辺を案内する。内障子３の上框２０には、上面に案内溝２０ａが形成され、これが上枠１０の内案内レール１０ａに案内される。また、外障子４の上框２０にも、上面に案内溝２０ａが形成され、これが上枠１０の外レール１０ｂに案内される。
【００１９】
上框２０の下面にはガラス挿入溝２０ｂが形成され、さらにガラス挿入溝２０ｂの開口近傍にはそれぞれ２つずつの軟質樹脂からなるヒレ部２０ｃが一体的に形成されている。ガラス体８はガラス挿入溝２０ｂ内に納められ、ヒレ部２０ｃによって室内外面をそれぞれ押圧され固定される。
【００２０】
枠体２を構成する下枠１１には、内レール１１ａ及び外レール１１ｂが上面から突出状に形成され、それぞれ内障子３及び外障子４が走行自在となるように案内する。内障子３の下框２１には、下部に戸車２１ａが設けられ、この戸車２１ａが下枠１１の内レール１１ａに載置されて内障子３を長手方向に走行自在とする。また、下框２１の上面にはガラス挿入溝２１ｂが形成されると共に、その開口近傍にはそれぞれ２つずつの軟質樹脂からなるヒレ部２１ｃが一体的に形成されている。ガラス体８はガラス挿入溝２１ｂ内に納められ、ヒレ部２１ｃによって室内外面をそれぞれ押圧され固定される。
【００２１】
外障子４の下框２１も内障子３の下框２１と同様の構成からなり、下部に戸車２１ａが、上面にガラス挿入溝２１ｂ及びヒレ部２０ｃが形成され、戸車２１ａは下枠１１の外レール１１ｂに載置されて走行自在とされ、ガラス挿入溝２１ｂにはガラス体８が納められてヒレ部２１ｃによって両面から押圧固定する。
【００２２】
内障子３の召合せ框２３には、外周側にクレセント２３ａが設けられ、内周側にはガラス挿入溝２３ｂが形成される。ガラス挿入溝２３ｂには開口部近傍に軟質樹脂からなるヒレ部２３ｃが２つずつ一体的に形成されており、ガラス体８はガラス挿入溝２３ｂに納められてヒレ部２３ｃにより両面から押圧固定される。外障子４の召合せ框２３は、内周側にガラス挿入溝２３ｂ及びヒレ部２３ｃが形成されており、内障子３の召合せ框２３と同様のガラス固定構造を有している。
【００２３】
次に、框体７の連結構造について説明する。図３には、外障子４を構成する框体７の分解斜視図を示している。この図に示すように、各框材は切断加工により端面を概ね面一状とされ、上連結ブロック３０と下連結ブロック３５の２種類の連結ブロックによって連結される。
【００２４】
上框２０は、両端面が切断加工のみによって面一状に形成される。また枠側縦框２２と召合せ框２３も、両端面が切断加工によって形成される。これらは内周面の一部に切欠きが形成されるものの、各端面は概ね面一状として形成されている。上框２０と枠側縦框２２、及び上框２０と召合せ框２３は、いずれも同じ形状からなる上連結ブロック３０によって連結される。
【００２５】
上連結ブロック３０は、基部３１の側部に上框２０の端面からその中空内部に嵌入される上框連結部３２を有し、基部３１の下部に枠側縦框２２または召合せ框２３の上端面からその中空内部に嵌入される縦框連結部３３を有して構成される。縦框連結部３３を枠側縦框２２または召合せ框２３の上端部に、それぞれ嵌入することで、基部３１は枠側縦框２２の上部及び召合せ框２３の上部にそれぞれ配置される。
【００２６】
上連結ブロック３０の基部３１は、上框２０の上半分と略同じ断面形状に形成されて、案内溝構成部３１ａが設けられている。案内溝構成部３１ａは、縦框に嵌入された上連結ブロック３０の上框連結部３２を上框２０に嵌入することにより、上框２０の案内溝２０ａと略連続状とされる。
【００２７】
また、上連結ブロック３０の縦框連結部３３は、基部３１側の根元部３３ａと、根元部３３ａより先端側の先端部３３ｂとが一体的に形成されている。根元部３３ａは、縦框の中空部２４の内周面に略適合する形状に形成されており、縦框の端部から挿入することで、縦框２４の中空部２４に対して嵌合される。一方、先端部３３ｂは、根元部３３ａよりも小さい断面形状を有し、縦框の中空部２４に設けられる補強材２５の内周面に対し、嵌入される。当該構成については、後で詳述する。
【００２８】
下連結ブロック３５は、基部３６の側方上部に下框２１の端面からその中空内部に嵌入される下框連結部３７を有し、基部３６の上部に枠側縦框２２または召合せ框２３の下端面からその中空内部に嵌入される縦框連結部３８を有して構成される。縦框連結部３８を枠側縦框２２または召合せ框２３の下端部に、それぞれ嵌入することで、基部３５は枠側縦框２２の下部及び召合せ框２３の下部にそれぞれ配置される。
【００２９】
下連結ブロック３５の基部３６は、下框２１の下端部と略同じ断面形状に形成されて、凹部３６ａが設けられている。凹部３６ａは、縦框に嵌入された下連結ブロック３５の下框連結部３７を下框２１に嵌入することにより、下框２１の下端部において内レール１１ａや外レール１１ｂを跨ぐ部分と略連続状とされる。
【００３０】
縦框と上連結ブロック３０及び下連結ブロック３５との連結構造について、より詳細に説明する。図４には内障子３の召合せ框２３の正面図を、図５には内障子３の召合せ框２３の側面図を、それぞれ示している。これら各図において、召合せ框２３には両端部にそれぞれ上連結ブロック３０と下連結ブロック３５が嵌入されている。召合せ框２３内に設けられる補強材２５は、端部が召合せ框２３の端部よりも長手方向内側に配置される。すなわち、補強材２５は召合せ框２３の長手方向中央部に配置されて、召合せ框２３の両端部付近には補強材２５の配置されない領域が存在する。
【００３１】
上連結ブロック３０には、基部３１から召合せ框２３の中空部２４内に嵌入される縦框連結部３３が突出状に形成されており、縦框連結部３３は召合せ框２３の中空部２４の内周面に略適合する外形状を有した根元部３３ａと、根元部３３ａからさらに突出する先端部３３ｂとを有して構成されている。
【００３２】
根元部３３ａは、召合せ框２３の上端部付近において召合せ框２３の上端部と補強材２５の上端部との間の領域において、召合せ框２３の中空部２４内周面に嵌入された状態となっている。一方、先端部３３ｂは補強材２５の配置されている領域まで延びて、補強材２５の内周面に嵌入される。このように、上連結ブロック３０の縦框連結部３３は、召合せ框２３及び補強材２５に対し、二重に嵌合される。
【００３３】
一方で、下連結ブロック３５は、縦框連結部３８が召合せ框２３の下端部付近において召合せ框２３の下端部と補強材２５の下端部との間の領域にのみ配置される。すなわち、下連結ブロック３５は召合せ框２３の中空部２４内周面に嵌入されていて、補強材２５には嵌入されていない。
【００３４】
図６には、図４のＡ−Ａ断面図を示している。この図に示すように、召合せ框２３の中空部２４に挿入された補強材２５は、室内面２５ａと室外面２５ｂ及びこれらを繋ぐ面とを有して、中空部２４の内周面のうち３面と当接するように断面略コ字状に形成されている。上連結ブロック３０の縦框連結部３３に形成された先端部３３ｂは、補強材２５を構成する３面に沿うように断面略コ字状に形成されており、これらの面と当接する。
【００３５】
また、召合せ框２３の室内側に設けられる引手部材２６は、室外側面が召合せ框２３の室内面に当接している。そして、引手部材２６の室外側面と召合せ框２３の室内面及び補強材２５の室内面２５ａとがネジにより共締め固定されている。これによって、引手部材２６と召合せ框２３とが強固に一体化されるので、内障子３を構成する框体７の強度を向上させることができる。
【００３６】
以上のように、召合せ框２３の上端部に嵌入される上連結ブロック３０は、縦框連結部３３を構成する根元部３３ａが縦框の中空部２４に対して嵌入され、縦框連結部３３を構成する先端部３３ｂが補強材２５に対して嵌入されることで、縦框及び補強材２５に対して二重に嵌合しているので、上連結ブロック３０と縦框との連結強度を大きくし、框体７の強度を充分に確保することができる。
【００３７】
また、図４〜図６では内障子３の召合せ框２３について示したが、外障子４の召合せ框２３も、引手部材２６が設けられないことを除いては内障子３と同様の構造であり、上連結ブロック３０が召合せ框２３及び補強材２５に対して二重に嵌合し取付けられる。また、内障子３及び外障子４の枠側縦框２２についても、同様の構造で上連結ブロック３０が取付けられる。したがって、内障子３の召合せ框２３以外の縦框についても、上連結ブロック３０と縦框との連結強度を大きくすることができる。
【００３８】
以上、本発明の実施形態について説明したが、本発明の適用は本実施形態には限られず、その技術的思想の範囲内において様々に適用されうるものである。例えば、本実施形態では、建物開口部内に設けられる外窓と内窓のうち、内窓を樹脂サッシとして本発明を適用したが、樹脂サッシ単体が建物開口部に設けられた場合であっても、本発明を適用することができる。また、窓の種類は引き違いサッシには限られず、開き窓等であっても本発明を適用することができる。
【図面の簡単な説明】
【００３９】
【図１】本実施形態における内窓を有したサッシ全体の縦断面図である。
【図２】本実施形態における内窓を有したサッシ全体の横断面図である。
【図３】内障子を構成する框体の分解斜視図である。
【図４】内障子の召合せ框の正面図である。
【図５】内障子の召合せ框の側面図である。
【図６】図４のＡ−Ａ断面図である。
【符号の説明】
【００４０】
１    内窓
２    枠体
３    内障子
４    外障子
５    額縁材
６    床材
７    框体
８    ガラス体
１０    上枠
１１    下枠
１２    縦枠
２０    上框
２１    下框
２２    枠側縦框
２３    召合せ框
２４    中空部
２５    補強材
２６    引手部材
３０    上連結ブロック
３１    基部
３１ａ  案内溝構成部
３２    上框連結部
３３    縦框連結部
３３ａ  根元部
３３ｂ  先端部
３５    下連結ブロック
３６    基部
３６ａ  凹部
３７    下框連結部
３８    縦框連結部
【図１】
2009228350.tif 000003
【図２】
2009228350.tif 000004
【図３】
2009228350.tif 000005
【図４】
2009228350.tif 000006
【図５】
2009228350.tif 000007
【図６】
2009228350.tif 000008